(57)【要約】  脚（１１）は、高さ（Ｈ）に減少されたスペースにおいて、家具の台又は底（１２）と床（Ｐ）との間に位置し、前記脚（１１）は、その内部に、孔又は作動点（１３）から操作器具（１４）によって作動される、高さ調整機構を含み、当該システムにおいて、孔又は作動点（１３）は、床（Ｐ）に支えられている脚（１１）の自由端部に位置する、前方調整レベリングを備えた家具の部品又は調度品のためのフットシステム。【選択図】図１
2019531811.tif 000002
【特許請求の範囲】
【請求項１】
前方調整レベリングを台又は底（１２）に備えた、家具及び調度品の部品に適したフットシステムであり、
少なくとも１つの脚（１１）は、高さ（Ｈ）に縮小されたスペースにおいて、家具の台又は底（１２）と床（Ｐ）との間に位置し、
前記脚（１１）は、その内部に、孔又は作動点（１３）から操作器具（１４）によって作動される、高さ調整機構を含み、
前記脚（１１）は、前記床（Ｐ）に対する下部固定部（１７ｆ）を含み、
前記孔又は作動点（１３）は、前記下部固定部（１７ｆ，１１７ｆ，２１７ｆ）の上方であり、床（Ｐ）に支えられている脚（１１）の自由端部に位置することを特徴とする、
フットシステム。
【請求項２】
前記脚（１１）は、その軸（Ｘ）の１つには、家具の前記台又は底（１２）の前方部に対してスペース（Ｒ）の格納位置があることを特徴とする、
請求項１に記載のシステム。
【請求項３】
端部の１つが調整機構の前記孔又は作動点（１３）に挿入される操作器具（１４）が、前記床（Ｐ）に対して角度（α）で傾斜しており、前記孔（１３）と一致することを特徴とする、
請求項１又は２に記載のシステム。
【請求項４】
前記角度（α）は、調整機構の操作角度として示され、家具の前方部に対する脚（１１）の軸（Ｘ）の格納スペース（Ｒ）と、家具の台又は底（１２）と床（Ｐ）との間のスペース（Ｈ）と、の間に存在する割合に関連付けられていることを特徴とする、
請求項３に記載のシステム。
【請求項５】
前記脚（１１）は、台又は底（１２）に設けられた所定の座部（２３）に挿入可能であり、台（１２）と床（Ｐ）との間の挿入段階において脚を配向させることを補助する、１又はそれ以上のピン（１９）が付いている、フランジ（１８）を、上部に有することを特徴とする、
請求項１〜４のいずれか一項に記載のシステム。
【請求項６】
前記台又は底（１２，１１２）は、床（Ｐ）に向けられた外延部（１１６）の厚み（Ｋ）において、脚（１１）の調整機構の挿入部のための脚の取付座部（１１５）を有することを特徴とする、
請求項１〜５のいずれか一項に記載のシステム。
【請求項７】
フランジ（１１８）は、上部可動部において、部品間を良く補助する外延部（１１６）の下方に設けられたことを特徴とする、
請求項６に記載のシステム。
【請求項８】
フランジ（２１８）は、脚（１１）の本体の上部可動部（２１７）に設けられ、少なくとも部分的に内部に格納される前記台又は底（２１２）の座部（２１５）に挿入される段階において、脚を配向させることを補助する、前記台又は底（２１２）の座部（２２３）の内部に位置する１又はそれ以上のピン（２１９）を備えていることを特徴とする、
請求項６に記載のシステム。
【請求項９】
少なくとも１つの請求項１に係る前脚（１１Ａ）と、後脚（１１Ｐ）と、を含み、
前記前脚（１１Ａ）は、後脚（１１Ｐ）の調整のための操作復帰棒（２１）の端部を格納するための延長フック（２０）を有し、
前記復帰棒（２１）は、後脚（１１Ｐ）に設けられた操作点又は孔（２２）に挿入されることを特徴とする、
請求項１〜８のいずれか一項に記載のシステム。
【請求項１０】
前記操作点又は孔（２２）は、床（Ｐ）に支えられている後脚（１１Ｐ）の下部に設けられていることを特徴とする、
請求項９に記載のシステム。
【請求項１１】
前記操作点又は孔（２２）は、前記台又は底（１２，１１２）に支えられている後脚（１１Ｐ）の上部に設けられていることを特徴とする、
請求項９に記載のシステム。
【請求項１２】
前記延長フック（２０）は、前記前脚（１１Ａ）と一体化されていることを特徴とする、
請求項９に記載のシステム。
【請求項１３】
前記延長フック（２０）は、台又は底（１２）から延びており、前脚（１１Ａ）と関連付けられている、フック要素（２０’）の一部であることを特徴とする、
請求項９に記載のシステム。
【請求項１４】
前記高さ調整機構は、ねじ付き釘（２８）に、家具の台又は底（１２，１１２、２１２）と一体である上部可動部（１７ｍ，１１７ｍ，２１７ｍ）に隣接しているスリーブ（２９）を作動させる、ピニオン−歯付きクラウンの斜面（２６，２７）を有するケーシング（２４，２５）を含むことを特徴とする、
請求項１〜１３のいずれか一項に記載のシステム。
【発明の詳細な説明】
【技術分野】
【０００１】
本発明は、前方調整レベリングを備えた家具及び調度品の部品のためのフット（レッグ）システムに関する。
【背景技術】
【０００２】
現在、前方から調整可能な様々なフットシステム及びレベリングシステムを説明する特許出願及び特許権が、多く知られている。このようなシステムとして、例えば、欧州特許出願公開第０５７５１９６０．５号明細書（ＥＰ−Ａ−０５７５１９６０．５）、欧州特許出願公開第１３１６２２５２．４号明細書（ＥＰ−Ａ−１３１６２２５２．４）、欧州特許出願公開第１４１７２５０８．５号明細書（ＥＰ−Ａ−１４１７２５０８．５）、イタリア特許第１４０８６８１号明細書（ＩＴ１４０８６８１），オーストラリア特許第２００９２２７４８４号明細書（ＡＵ−２００９２２７４８４）、ドイツ実用新案第９３１０１５９号明細書（ＤＥ−９３１０１５９）、米国特許出願公開第２０１６／２３５２００号明細書（ＵＳ−２０１６／２３５２００）、米国特許第１６３２３８３号明細書（ＵＳ−１６３２３８３）、米国特許第３６４１６２０号明細書（ＵＳ−３６４１６２０）、及び欧州特許第１６９８２５３号明細書（ＥＰ−１６９８２５３）がある。
【０００３】
技術的そしてまた審美的な目的のために、家具の生産者は、近年、床と家具の底（幅木）との間の距離を、約７０／８０ｍｍ未満の寸法にまで縮小する傾向にある。
【０００４】
これらの場合、床と家具との間の縮小された空間のために、脚を調整できる程度に手を脚にアクセスさせることが困難である。
【０００５】
この問題を解決するために、家具製作者の中には、脚の高さをそこから調節できる孔を家具の台に開ける者もいる。
【０００６】
他の製作者の中には、家具の台の内観を損なわないよう、かつ、台に穿孔しなくともよいように、使用可能な空間が縮小されるにもかかわらず、家具の前方部から容易に作動させることができる、製造可能なフットシステムを望む者もいる。
【０００７】
上述した特許出願及び特許権は、多くの場合における問題を解決する。
【０００８】
しかし、家具の台と床との間の空間が更に縮小された場合には、現在までに存在する上述したシステムは使用することができない。
【０００９】
特定の技術的要求（例えば、冷蔵庫台など）及び／又は審美的要求のために、家具製作者の中には、わずか２０／３０ｍｍの空間において使用可能な前方から調整可能なフットシステムを必要としている者がいる。
【００１０】
これらの場合には、現在存在しているシステムを使用することは、とても困難或いは不可能でさえある。
【００１１】
それどころか、台と床との間の縮小された操作空間に設けられた、家具の前方部に対する脚の格納位置は、調整時の操作を妨害すらしてしまう。
【００１２】
この縮小空間のために、操作者は、床に対してほぼ平行に、かつ、かなり近傍に調整器具を維持する操作をしなければならない。
【００１３】
このポジションは、当該器具を作動点に挿入し、操作者の手が床と干渉することなくこれを回転させることが困難である位に、操作において著しく不適当なものである。
【発明の概要】
【発明が解決しようとする課題】
【００１４】
したがって、本発明の一般的な目的は、上述した公知技術の欠点を、非常に簡便に、経済的かつとても機能的な手法によって解決することができる、前方調整レベリングを備えた家具及び調度品の部品のためのフットシステムを提供することである。
【００１５】
本発明の更なる目的は、負担が非常に軽減され、家具の外部からのアクセスが改善された、前方調整レベリングを備えた家具及び調度品の部品のためのフットシステムを提供することである。
【００１６】
本発明の別の目的は、冷蔵庫台等のような所定な技術的目標の、前方調整レベリングを備えた家具及び調度品の部品のためのフットシステムを提供することである。
【課題を解決するための手段】
【００１７】
上記の目的は、独立した請求項１及び以降の従属項に従い作製された、前方調整レベリングを備えた家具及び調度品の部品のためのフットシステムによって達成される。
【００１８】
本発明に係る構造的及び機能的な特徴並びに公知技術に対する利点は、本発明の実施形態を示す添付の概略図を参照してなされる、以下の説明から更に明らかになるであろう。
【図面の簡単な説明】
【００１９】
【図１】図１は、本発明に係る前方調整レベリングを備えた家具及び調度品の部品のためのフットシステムを示す側面図である。
【図２】図２は、冷蔵庫台と床との間を例にした、２つの異なるポジションにおける、前方調整レベリングを備えた家具及び調度品の部品のためのフットシステムの第二実施形態の側面図である。
【図３】図３は、冷蔵庫台と床との間を例にした、２つの異なるポジションにおける、前方調整レベリングを備えた家具及び調度品の部品のためのフットシステムの第二実施形態の側面図である。
【図４】図４は、家具の台又は底と床との間を例にした、２つの異なるポジションにおける、前方調整レベリングを備えた家具及び調度品の部品のためのフットシステムの第三実施形態の側面図である。
【図５】図５は、家具の台又は底と床との間を例にした、２つの異なるポジションにおける、前方調整レベリングを備えた家具及び調度品の部品のためのフットシステムの第三実施形態の側面図である。
【図６】図６は、２つの異なるポジションにおける、後脚の調整を行う、前方調整レベリングを備えた家具及び調度品の部品のためのフットシステムの第四実施形態の側面図である。
【図６ｂ】図６ｂは、２つの異なるポジションにおける、後脚の調整を行う、前方調整レベリングを備えた家具及び調度品の部品のためのフットシステムの第四実施形態の側面図である。
【図７】図７は、２つの異なるポジションにおける、後脚の調整を行う、前方調整レベリングを備えた家具及び調度品の部品のためのフットシステムの第四実施形態の側面図である。
【図７ｂ】図７ｂは、２つの異なるポジションにおける、後脚の調整を行う、前方調整レベリングを備えた家具及び調度品の部品のためのフットシステムの第四実施形態の側面図である。
【発明を実施するための形態】
【００２０】
まず初めに図１を参照すると、これは本発明に係る前方調整レベリングを備えた家具及び調度品の部品のためのフットシステムの側面図を示している。
【００２１】
脚１１は、高さＨの縮小空間における、家具の台又は底１２と床Ｐとの間に配置されており、部品の配置によって定められる。
【００２２】
内部に高さの調整機構を有している脚１１は、操作器具１４の通路のための孔１３を有している。
【００２３】
この孔１３は、家具の台１２と反対側であり、床Ｐの近傍である、下方領域にある脚１１の本体に設けられている。特に、脚１１は、伸縮式であり、床Ｐに対する下部固定部１７ｆと、調整時に移動可能であり、家具の台１２と一体となっている上部可動部１７ｍと、を含む。
【００２４】
このように、調整機構の作動点（孔１３と一致している）は、床Ｐの近傍にあり、床Ｐに支えられている脚１１の固定部１７ｆにおける脚１１の下部自由端部に位置する。
【００２５】
また、脚１１は、家具の前方部又は台１２に対してスペースＲの格納位置であるＸ軸の１つに位置決めされていることが理解されるであろう。
【００２６】
家具の台１２と床Ｐとの間のスペースＨが縮小されるが、操作器具１４は、調整機構の操作角度として示される床Ｐに対する角度αで、傾動可能である。角度αは、家具の前方部に対する脚１１のＸ軸の格納スペースＲと、家具の台１２と床Ｐとの間のスペースＨと、の間に存在する割合に関連付けられている。前記角度αは、好ましくは０°以上４０°以下、より好ましくは３０°以下である。
【００２７】
脚１１を簡便に調整することができるようにするため、本発明に係る配置は、機構の作動点（孔１３と一致している）が脚１１の下部に位置しており、上述した公知技術の配置とは異なっていることがわかる。それゆえ、この作動点は、床の近傍にあり、家具の台１２と反対側にある。
【００２８】
脚１１には、その自由端部の１つにある上部可動部１７ｍに、１又はそれ以上のピン１９が付いているフランジ１８が設けられている。前記ピン１９は、脚１２と床Ｐとの間の挿入段階において脚を配向させることを補助する所定の座部２３に挿入される。
【００２９】
この極めて特徴的であり新規な配置により、現在使用されている通常の脚にも可能であり、対する器具１４の操作角度αをより大きくすることができる。これにより、家具の前方部の台１２のエッジＳを回避でき、如何なる場合も器具１４と床Ｐとの間にある操作者の手のためのスペースを十分に維持することができる、作動点に到達することが可能となる。
【００３０】
図２及び図３は、２つの側面図であり、前方調整レベリングを備えた家具及び調度品の部品のためのフットシステムの第二実施形態を示している。図２及び図３は、２つの異なるポジションを示しており、冷蔵庫台１１２と床Ｐとの間にある例において、一方は下方のポジションの場合、もう一方は上方のポジションの場合を示している。
【００３１】
これは、冷蔵庫台と床との間のスペースが狭い極めて極端な状態である。
【００３２】
このような冷蔵庫台１１２と床Ｐとの間の可能スペースが更に極めて極端な状態であっても、十分な調整を確保するために、床Ｐに向けた冷蔵庫台１１２の外延部１１６の厚みＫが役立つ。脚の調整機構の挿入部のために、脚１１の取付座部１１５は、この外延部１１６の内部に設けられている。前記座部１１５は、床１１２の前記厚みＫの範囲にて作成される。
【００３３】
とりわけ、フランジ１１８は、脚１１の上部可動部１１７ｍに設けられ、部品間のより一層の補助を確実なものとする外延部１１６の下に隣接される。
【００３４】
このようにして、操作器具１４を通過させることができる非常に縮小された距離Ｎが、フランジ１１８と床Ｐとの間に確保される。
【００３５】
脚の下部固定部１１７ｆは、システムの安定性を付与し、調整機構の作動点又は孔１１３が位置する場所にあり、床Ｐに接するか或いは近傍にある。
【００３６】
また、図４及び図５は、システムの更なる実施形態において、家具の底２１２と床Ｐとの間に位置する脚１１を示している。
【００３７】
この場合もまた、十分な調整を確保するために、底２１２の厚みの空間がどのように役立つのかが、理解される。脚１１の上部可動部２１７ｍの取付座部２１５は、この厚み内に設けられ、これによって、台の前記厚み内の調整機構の部分に挿入される。脚１１の上部可動部２１７ｍは、床Ｐ上に堅固に位置決めされており、孔２１３又は調整機構の作動点を有している、脚１１の下部固定部２１７ｆと、協働する。
【００３８】
部品間の補助や安定性を向上させるために、ワイドフランジ２１８は、脚１１の本体の上部可動部２１７ｍに設けられている。
【００３９】
また、このフランジ２１８は、座部２１５への挿入段階の間に脚を配向させることを補助し、座部２２３に位置する、１又はそれ以上のピン２１９を備えている。
【００４０】
ここでも、これによって、フランジ２１８と床Ｐとの間の非常に短い距離Ｍは、操作器具１４を通過させることができる。
【００４１】
図４及び図５において、例として、調整機構が、高さについて、孔又は作動点２１３から挿入された操作器具１４によって如何に作動するかが説明される。
【００４２】
前記調整機構では、２個のハーフシェル２４，２５が、脚１１の下部固定部２１７ｆ及び上部可動部２１７ｍの内部に位置するよう配置されている。特に、下部の２個のハーフシェル２４，２５の収納、回転可能なピニオン２６は歯付きクラウン２７と結合されており、歯付きクラウン２７もまた回転可能である。歯付きクラウン２７は、スリーブ２９が収納されているねじ付き釘２８の端部に位置しており、上半分のシェル２４，２５に摺動案内される。スリーブ２９の上部形成端部３０は、脚１１の上部可動部２１７ｍの内部ベース部３１に当接される。
【００４３】
このように、ピニオン２６の凹座部３２に収納されるように、操作器具１４を配置し、孔又は作動点２１３から通過させることによって、その回転が促進される。ピニオン２６の回転によって、歯付きクラウン２７の回転、及びそれに続くねじ付き釘２８の回転が生じる。この回転により、スリーブ２９が２個のハーフシェル２４，２５の内部で上昇させられ、脚１１の上部可動部２１７ｍが上方に移動する。これによって、脚の高さの調整が作動する。
【００４４】
図６、図６ｂ、図７、及び図７ｂは、２つの異なるポジションにおいて、後脚の調整を行う、前方調整レベリングを備えた家具及び調度品の部品のためのフットシステムの第四実施形態の対となる側面図である。
【００４５】
特に、図６及び図６ｂは、前脚１１Ａと後脚１１Ｐを示す。前脚１１Ａは、後脚１１Ｐを調整するための操作復帰棒２１の端部を収納するための延長フック２０を有する。図６の例において、復帰棒２１は、下方ポジションの場合に、操作点２２又は後脚１１Ｐに設けられた孔に挿入される。
【００４６】
一方、図６ｂは、上方ポジションの場合に、復帰棒２１が操作点２２又は後脚１１Ｐに設けられた孔に挿入される場合の第二の例を示す。いずれの場合も、既に示したように、延長フック２０は前脚１１Ａと一体化されている。
【００４７】
いずれの場合も、復帰棒２１は、前方に、前脚１１Ａに、床Ｐの近くに、固定されている。
【００４８】
さらにまた、図７及び図７ｂは、前脚１１Ａと、後脚１１Ｐを調整するための操作復帰棒２１を備えた後脚１１Ｐと、を示している。この場合、延長フック２０’が備えられており、これは、台１２から延長され、これに制約されており、操作復帰棒２１の端部を格納するために前脚１１Ａと関連付けられている（協働する）。
【００４９】
また、図７は、図６及び図６ｂにおいて示されたことと同様に、下方ポジションの場合に、復帰棒２１が、操作点２２又は後脚１１Ｐに設けられた孔に、如何にして挿入されるかを示している。
【００５０】
一方、図７ｂは、上方ポジションの場合に、復帰棒２１が、操作点２２又は後脚１１Ｐに設けられた孔に、如何にして挿入されるかを示している。
【００５１】
本発明に係るシステムを製造するための構造の形態は、材料及び組立方式と同様に、図面において純粋に例示的及び非限定的な目的で示された形態と、当然に異なっていてもよい。
【００５２】
以上より、明細書中において前述した目的が達成されている。
【００５３】
本発明に係る技術的範囲は、特許請求の範囲の記載によって規定される。
【符号の説明】
【００５４】
１１…脚、１１Ａ…前脚、１１Ｐ…後脚、１２…台（底）、１３，１１３…孔（作動点）、１４…操作器具、１７ｍ，１１７ｍ，２１７ｍ…上部可動部、１７ｆ，１１７ｆ，２１７ｆ…下部固定部、２０…延長フック、２０’…延長フック（フック要素）、２１…操作復帰棒、２２…操作点、２３，２１５，２２３…座部、２４，２５…ハーフシェル（ハーフシェルハウス、ケーシング）、２６…ピニオン、２７…歯付きクラウン、２８…ねじ付き釘、２９…スリーブ、３０…上部形成端部、３１…内部ベース部、３２…凹座部、１１２…冷蔵庫台、１１５…取付座部、１１６…外延部、１１８…フランジ、２１３…作動点、２１８…（ワイド）フランジ、２１９…ピン、Ｈ…スペース（高さ）、Ｐ…床、Ｒ…（格納）スペース、Ｓ…エッジ、Ｋ…厚み
【図１】
2019531811.tif 000003
【図２】
2019531811.tif 000004
【図３】
2019531811.tif 000005
【図４】
2019531811.tif 000006
【図５】
2019531811.tif 000007
【図６】
2019531811.tif 000008
【図６ｂ】
2019531811.tif 000009
【図７】
2019531811.tif 000010
【図７ｂ】
2019531811.tif 000011
【国際調査報告】
2019531811.tif 000012
2019531811.tif 000013
2019531811.tif 000014